(57)【要約】【課題】摺動面が長く移動体のストロークが大きくても構造が複雑になることがなく良好に摺動面を保護し、自動化に対しても対応が可能である。【解決手段】摺動面カバーを摺動面１の上部に配置する第１及び第２中央カバーＭ２，Ｍ５とこれを前後から挟み込んで全体で摺動面を覆う第１及び第２前カバー及び第１及び第２後カバーとで構成し、レスト３の刃物台４側に第１中央カバーＭ２を固着し、心押台５の刃物台４側に第２中央カバーＭ５を固着した。刃物台４のレスト３側に第１中央カバーＭ２を挟む第１前カバー及び第１後カバーを固着し、刃物台４の心押台５側に第２中央カバーＭ５を挟む第２前カバー及び第２後カバーを固着した。刃物台４には第１及び第２中央カバーＭ２，Ｍ５を挿通する挿通孔４ｂを設けた。【選択図】　図１
2004066380.tif 000002
【特許請求の範囲】
【請求項１】
左右に形成された摺動面上に複数の移動体が移動可能に取り付けられた摺動面カバー装置であって、
摺動面の上部を覆う中央カバー体と該中央カバー体を前後から挟み込んで全体で摺動面を覆う前カバー体及び後カバー体とを有し、
前記複数の移動体の隣接する一対の移動体のうちの一方の移動体に前記中央カバー体を固着すると共に他方の移動体に前記前カバー体及び前記後カバー体を固着し、更に前記一方の移動体には前記前カバー体及び前記後カバー体を挿通させる挿通孔或いは切り欠きを設け、前記他方の移動体には前記中央カバー体を挿通させる挿通孔或いは切り欠きを設け、各移動体の移動範囲に制限を加えることなく移動体間の摺動面を前記中央カバー体，前カバー体，後カバー体とで保護したことを特徴とする摺動面カバー装置。
【請求項２】
後カバー体、中央カバー体、前カバー体の順に上から重ね合わさるように互いの係合部が形成された請求項１記載の摺動面カバー装置。
【請求項３】
ベッド上に左右に形成した第１及び第２の２つの平行な摺動面を有し、後方の第２の摺動面上を少なくとも１つの移動体が移動可能に取付けられ、前方の第１の摺動面上を複数の移動体が移動可能に取付けられた摺動面カバー装置であって、
前記第１及び第２の摺動面に取り付けた移動体と摺動面上に固定設置された固定体の間の摺動面カバーは、移動体に固着した摺動面カバー体が固定体に形成した挿通孔に入り込むよう形成し、
移動体間の摺動面カバーは、摺動面の上部を覆う中央カバー体と該中央カバー体を前後から挟み込んで全体で摺動面を覆う前カバー体及び後カバー体とを有し、隣接する一対の移動体のうちの一方の移動体に前記中央カバー体を固着すると共に他方の移動体に前記前カバー体及び前記後カバー体を固着し、更に前記一方の移動体には前記前カバー体及び前記後カバー体を挿通させる挿通孔或いは切り欠きを設け、前記他方の移動体には前記中央カバー体を挿通させる挿通孔或いは切り欠きを設け、各移動体の移動範囲に制限を加えることなく移動体間の摺動面を前記中央カバー体，前カバー体，後カバー体とで保護し、
更に、第１の摺動面と第２の摺動面の間のベッド上に固定カバーを立設して、前記第１の摺動面を覆う摺動面カバーと前記第２の摺動面を覆う摺動面カバーとを前記固定カバーを介して連結し、第１及び第２の摺動面を連続して覆ったことを特徴とする摺動面カバー装置。
【請求項４】
第２の摺動面上に取り付けられた摺動面カバー、固定カバー、第１の摺動面上に取り付けられた摺動面カバーの後カバー体、中央カバー体、前カバー体の順に上から重ね合わさるように互いの係合部が形成された請求項３記載の摺動面カバー装置。
【発明の詳細な説明】
【０００１】
【発明の属する技術分野】
本発明は、旋盤等の工作機械の摺動面を切り粉等から保護する摺動面カバー装置に関する。
【０００２】
【従来の技術】
刃物台、心押台、レスト（振止め）等、複数の移動体が配置された旋盤の摺動面を切り粉等から保護する摺動面カバーは、従来は移動体間をテレスコカバーで覆うか、分割手置きカバーで保護する形態のものが知られている。図１１はテレスコカバーを装着した旋盤の概略図を示し、２１がテレスコカバーであり、２２は主軸台、２３はレスト、２４は刃物台、２５は心押台であり、２６は摺動面を示している。テレスコカバー２１は相似形状の複数のカバーを重なり部を設けて連結して形成され、個々のカバーが相対移動して重なり部を増減することで移動体の移動に追従するよう形成されている。尚、主軸台２２は位置が固定された固定体であり、レスト２３、刃物台２４、心押台２５は摺動面上に取り付けられた移動体である。
また、図１２は分割手置きカバーを装着した旋盤の概略図を示し、２７が分割手置きカバーであり、分割したカバーを移動体の位置に合わせて選択配置して摺動面を保護していた。
【０００３】
【発明が解決しようとする課題】
しかし、テレスコカバー２１の場合は摺動面が長く移動体のストロークが大きくなると、カバー枚数が多くなって構造が複雑になり扱いが面倒であった。また、カバー１枚あたりを長くすると移動体間の寄付きが悪くなった。また、分割手置きカバー２７の場合は、手動で操作するため自動化された旋盤には使用できなかった。
そこで、本発明は上記問題点に鑑み、摺動面が長く移動体のストロークが大きくても構造が複雑になることがなく良好に摺動面を保護し、更に自動化に対しても対応可能な旋盤の摺動面カバーを提供することを目的とする。
【０００４】
【課題を解決するための手段】
上記課題を解決するため、請求項１の発明は、左右に形成された摺動面上に複数の移動体が移動可能に取り付けられた摺動面カバー装置であって、摺動面の上部を覆う中央カバー体と該中央カバー体を前後から挟み込んで全体で摺動面を覆う前カバー体及び後カバー体とを有し、前記複数の移動体の隣接する一対の移動体のうちの一方の移動体に前記中央カバー体を固着すると共に他方の移動体に前記前カバー体及び前記後カバー体を固着し、更に前記一方の移動体には前記前カバー体及び前記後カバー体を挿通させる挿通孔或いは切り欠きを設け、前記他方の移動体には前記中央カバー体を挿通させる挿通孔或いは切り欠きを設け、各移動体の移動範囲に制限を加えることなく移動体間の摺動面を前記中央カバー体，前カバー体，後カバー体とで保護したことを特徴とする。
【０００５】
請求項２の発明は、請求項１の発明において、後カバー体、中央カバー体、前カバー体の順に上から重ね合わさるように互いの係合部が形成されたことを特徴とする。
【０００６】
請求項３の発明は、ベッド上に左右に形成した第１及び第２の２つの平行な摺動面を有し、後方の第２の摺動面上を少なくとも１つの移動体が移動可能に取付けられ、前方の第１の摺動面上を複数の移動体が移動可能に取付けられた摺動面カバー装置であって、前記第１及び第２の摺動面に取り付けた移動体と摺動面上に固定設置された固定体の間の摺動面カバーは、移動体に固着した摺動面カバー体が固定体に形成した挿通孔に入り込むよう形成し、移動体間の摺動面カバーは、摺動面の上部を覆う中央カバー体と該中央カバー体を前後から挟み込んで全体で摺動面を覆う前カバー体及び後カバー体とを有し、隣接する一対の移動体のうちの一方の移動体に前記中央カバー体を固着すると共に他方の移動体に前記前カバー体及び前記後カバー体を固着し、更に前記一方の移動体には前記前カバー体及び前記後カバー体を挿通させる挿通孔或いは切り欠きを設け、前記他方の移動体には前記中央カバー体を挿通させる挿通孔或いは切り欠きを設け、各移動体の移動範囲に制限を加えることなく移動体間の摺動面を前記中央カバー体，前カバー体，後カバー体とで保護し、更に、第１の摺動面と第２の摺動面の間のベッド上に固定カバーを立設して、前記第１の摺動面を覆う摺動面カバーと前記第２の摺動面を覆う摺動面カバーとを前記固定カバーを介して連結し、第１及び第２の摺動面を連続して覆ったことを特徴とする。
【０００７】
請求項４の発明は、請求項３の発明において、第２の摺動面上に取り付けられた摺動面カバー、固定カバー、第１の摺動面上に取り付けられた摺動面カバーの後カバー体、中央カバー体、前カバー体の順に上から重ね合わさるように互いの係合部が形成されたことを特徴とする。
【０００８】
【発明の実施の形態】
以下、本発明を具体化した実施の形態を、図面に基づいて詳細に説明する。図１は本発明に係る摺動面カバー装置の一例を示す旋盤の要部正面説明図であり、１はベッド上の摺動面、２は主軸台、２ａはチャック、３はレスト、４は刃物台、４ａはタレット、５は心押台、７はワークを示している。また、Ｍ１，Ｍ２，Ｍ５，Ｍ８は順に左カバー、第１中央カバー、第２中央カバー、右カバーであり、摺動面カバー装置の一部を示している。
【０００９】
左カバーＭ１は、摺動面１の左端部となる主軸台側を覆い、レスト３の左側に固着され、主軸台２に形成された挿通孔２ｂに挿通されている。
第１中央カバーＭ２，第２中央カバーＭ５は、摺動面１上部を覆う中央カバー体であり、第１中央カバーＭ２はレスト３に固着されて右に伸び、刃物台４に形成された挿通孔４ｂに挿通されている。また、第２中央カバーＭ５は心押台５に固着されて左に伸び、同様に刃物台４の挿通孔４ｂに挿通されている。こうして夫々摺動面１上部を覆っている。
【００１０】
そして、左カバーＭ１はレスト３が主軸台２より最も離れた位置に移動しても先端は主軸台２の挿通孔２ｂから外れることがない長さを有しているし、第１中央カバーＭ２もレスト３と刃物台４が最も離れた位置に移動しても先端は刃物台４から抜け出ることがない長さを有している。また、第２中央カバーＭ５も同様に刃物台４と心押台５が最も離れた位置に移動しても先端は刃物台４から抜け出ることがない長さを有している。
また、右カバーＭ８は摺動面右側端部を覆うカバーであり、心押台５の右側に固着され、先端はベッド上に設けられた固定カバー６に収納される。
尚、レスト３、刃物台４及び心押台５は摺動面１上に配置された移動体であり摺動面を共有している。また、主軸台２はベッド上に固定された固定体である。
【００１１】
以下、図２〜図９の説明図を基に摺動面カバー装置を更に詳しく説明する。図２は図１のＡ−Ａ線断面を示し、図３は主軸台２近傍の平面説明図を示している。左カバーＭ１は図２に示すように上面と前面を有して略Ｌ字状に形成され、背部は摺動面１後部のベッド上に摺動面１に平行に立設された固定カバー８に嵌合して案内され、摺動面１を覆っている。
固定カバー８は、ベッド上に立設する立設壁８ａとその立設壁８ａ上部に折り曲げ形成されたカバー部８ｂとから成り断面略Ｌ字状に形成され、カバー部８ｂの前後端部に摺動面カバーとの係合部が形成されている。そして、摺動面１全域に渡り設置され、固定カバー８の後端係合部は上サドルカバー９が嵌合している。この上サドルカバー９は更にベッド後部を連続して保護している。
そして、上サドルカバー９と固定カバー８の連結部、固定カバー８と左カバーＭ１との連結部は何れも上から（後方から）順に重ね合わせるように、サドルカバー９の嵌合溝に固定カバー８が挿入されて連結され、固定カバー８の嵌合溝に左カバーＭ１が挿入されて連結され、上から（後方から）順に重ね合わさるように連結されている。
【００１２】
尚、本実施形態に示す旋盤は図１０の断面図に示すように構成され、ベッドは前方（図示左側）に傾斜して形成され、平行に配置した２本の摺動面を有している。そして、図１に示す摺動面１は下側に形成された第１の摺動面であり、第２摺動面１４がその後方の上側に形成されている。そのため、上サドルカバー９は第２摺動面１４を保護するよう構成され、１５は第２摺動面１４に取り付けられた移動体を示している。
【００１３】
図４は図１のＢ−Ｂ線断面を示し、図５はレスト３近傍の平面説明図を示している。図５に示すように、レスト３の図示左側には左カバーＭ１が固着され、右側には第１中央カバーＭ２が固着されている。第１中央カバーＭ２は図４に示すように摺動面１の上部を覆う板状のカバーであり、後部は後カバー体としての第１後カバーＭ３を介して固定カバー８に嵌合支持され、前面は前カバー体としての第１前カバーＭ４に嵌合して互いに摺動可能に連結されている。
第１後カバーＭ３は刃物台４に固着されて左側に延設した帯状体であり、背部に固定カバー８との係合部、前面に第１中央バーＭ２との係合部を有し摺動可能に嵌合されている。また、第１前カバーＭ４も刃物台４に固着されて左側に延設形成され、断面略Ｌ字状に形成されて上端部は第１中央カバーＭ２との係合部を有し、摺動可能に嵌合されている。
こうして、第１前カバーＭ４は第１後カバーＭ３と合わせて第１中央カバーＭ２を前後から囲んで摺動面１を覆い、摺動面を保護している。尚、第１後カバーＭ３及び第１前カバーＭ４は、共に第１中央カバーＭ２と略同一の長さを有し、レスト３と刃物台４が最も離れた位置に移動しても第１中央カバーＭ２と第１後カバーＭ３及び第１前カバーＭ４との間で隙間が発生するようなことがない。
【００１４】
そして、固定カバー８と第１後カバーＭ３との連結部、第１後カバーＭ３と第１中央カバーＭ２との連結部、第１中央カバーＭ２と第１前カバーＭ４との連結部は何れも上から（後方から）順に重ね合わせるように、固定カバー８の嵌合溝に第１後カバーＭ３が挿入されて連結され、第１後カバーＭ３の嵌合溝に第２中央カバーＭ２が挿入されて連結されて組み合わせられている。また、レスト３には、第１後カバーＭ３を挿通するための切り欠き１１ａが後部に形成され、レスト３の前面は第１前カバーＭ４を挿通可能にするための切り欠き１１ｂが形成されている。
【００１５】
図６は図１のＣ−Ｃ線断面を示し、図７は刃物台４近傍の平面説明図を示している。心押台５に基部が固着された第２中央カバーＭ５は摺動面１の上部のみ覆う平坦な板状に形成され、右側先端は刃物台４に形成された挿通孔４ｂに挿入されている。そして、後部は後カバー体としての第２後カバーＭ６を介して固定カバー８に嵌合支持され、前面は前カバー体としての第２前カバーＭ７に連結されている。
第２後カバーＭ６は刃物台４に固着されて右側に延設した帯状体であり、背部に固定カバー８との係合部、前面に第２中央カバーとの係合部を有し夫々摺動可能に連結されている。また、第２前カバーＭ７も刃物台４に固着されて右側に延設されて形成され、断面略Ｌ字状に形成され、上端部は第２中央カバーＭ５に嵌合し、摺動可能に連結されている。
こうして、第２前カバーＭ７は第２後カバーＭ６と合わせて第２中央カバーＭ５を前後から囲んで互いに連結されて摺動面１を覆い、摺動面を保護している。尚、第２後カバーＭ６及び第２前カバーＭ７は、共に第２中央カバーＭ５と略同一の長さを有し、刃物台４と心押台５が最も離れた位置に移動しても第２中央カバーＭ５と第２後カバーＭ６及び第２前カバーＭ７との間で隙間が発生するようなことがない。
【００１６】
そして、固定カバー８と第２後カバーＭ６との連結部、第２後カバーＭ６と第２中央カバーＭ５との連結部、第２中央カバーＭ５と第２前カバーＭ７との連結部は何れも後方を上にして順に重ね合わさるように、固定カバー８の嵌合溝に第２後カバーＭ６が挿入されて連結され、第２後カバーＭ６の嵌合溝に第２中央カバーＭ５が挿入されて連結されている。また、刃物台４に形成された挿通孔４ｂは、完全な孔ではなく、背部から前方に向けて大きく切り欠き形成されている。
【００１７】
図８は図１のＤ−Ｄ線断面を示し、図９は心押台５近傍の平面説明図を示している。心押台５は第２中央カバーＭ５及び右カバーＭ８が固着されている。右カバーＭ８は上面と前面を有して断面略Ｌ字状に形成され、後部は固定カバー８に嵌合支持され、固定カバー８と合わせて摺動面を覆っている。尚、右カバーＭ８は第２後カバーＭ６と第２前カバーＭ７が挿入される挿入空間を有している。
また、心押台５の背部には第２後カバーＭ６を挿通するための切り欠き１３ａが形成され、心押台５の前面は第２前カバーＭ７を挿通可能にするための切り欠き１３ｂが形成されている。
【００１８】
このように、摺動面カバーを中央カバー体と後カバー体と前カバー体とに摺動方向に平行に分割して形成し、中央カバー体を装着する移動体と前面及び背面カバー体を装着する移動体を交互に配置し、また互いの分割カバーを挿通するよう移動体を形成することで、無理なく複数の移動体を配置して、それらの間の摺動面を保護することができ、仕様の多用化に容易に対応できる。
また、個々の摺動面カバーを長く形成してもカバー同士が干渉し合うことなく、隣接する移動体間の寄付きが悪くなることがないし、摺動面が長くなっても摺動面カバーの枚数が多くなるようなことがない。
更に、個々の摺動面カバーは移動体に固着されるので移動体に合わせて移動し、自動化に容易に対応できる。
また、摺動面カバーは後方を上にして順に重なるように連結されているので、ベッドが前方に傾斜した旋盤の場合、摺動面カバー上に落下した切り粉等が連結部で引っかかることがなく、連結部から内部に切り粉等が入り難い。
また、固定カバーを介して第１及び第２の修道面を連続して覆うため、途中に窪み等を形成することなく２つの摺動面を覆うことができ、切り粉がカバーの途中に溜まるようなことがない。
【００１９】
尚、上記実施の形態は左右方向に平行に配置した２つの摺動面を有する場合について、そのうちの前方の摺動面に設けた摺動面カバーについて説明したが、後方の摺動面に対しても複数の移動体が取付けられる場合はその移動体間の摺動面に対して同様の摺動面カバーを設ければよい。また、１つの摺動面のみを有する旋盤に対しては、上サドルカバーは必要ないし、固定カバーを設けずに後カバー体をベッド近傍まで伸ばしても良い。
【００２０】
【発明の効果】
以上詳述したように、請求項１，３の発明によれば、摺動面カバーを中央カバー体と後カバー体と前カバー体とに摺動方向に平行に分割して形成し、中央カバー体を装着する移動体と前面及び背面カバー体を装着する移動体を交互に配置し、また互いの分割カバーを挿通するよう移動体を形成することで、無理なく複数の移動体を配置して、それらの間の摺動面を保護することができ、仕様の多用化に容易に対応できる。
また、個々の摺動面カバーを長く形成してもカバー同士が干渉し合うことなく、隣接する移動体間の寄付きが悪くなることがないし、摺動面が長くなっても摺動面カバーの枚数が多くなるようなことがない。
更に、個々の摺動面カバーは移動体に固着されるので移動体に合わせて移動し、自動化に容易に対応できる。
また、請求項３の発明によれば、上記効果に加えて、固定カバーを介して第１及び第２の修道面を連続して覆うため、途中に窪み等を形成することなく２つの摺動面を覆うことができ、切り粉がカバーの途中に溜まるようなことがない。
【００２１】
請求項２，４の発明によれば、後方を上にして順に重ねて連結されるので、ベッドが前方に傾斜した旋盤等の工作機械の場合、摺動面カバー上に落下した切り粉等が連結部で引っかかることがなく、連結部から内部に切り粉等が入り難い。
【図面の簡単な説明】
【図１】本発明に係る旋盤の摺動面カバーの実施形態の一例を示す旋盤の正面説明図であり摺動面カバーを断面で示している。
【図２】図１のＡ−Ａ線断面説明図である。
【図３】図１のチャック近傍の平面説明図である。
【図４】図１のＢ−Ｂ線断面説明図である。
【図５】図１のレスト近傍の平面説明図である。
【図６】図１のＣ−Ｃ線断面説明図である。
【図７】図１の刃物台近傍の平面説明図である。
【図８】図１のＤ−Ｄ線断面説明図である。
【図９】図１の心押台近傍の平面説明図である。
【図１０】旋盤の断面説明図である。
【図１１】従来の摺動面カバーを示す旋盤の要部正面図である。
【図１２】従来の他の摺動面カバーを示す旋盤の要部正面図である。
【符号の説明】
１・・摺動面、２・・主軸台（固定体）、２ｂ・・挿通孔、３・・レスト（移動体）、４・・刃物台（移動体）、４ｂ・・挿通孔、５・・心押台、８・・固定カバー、９・・上サドルカバー、１１ａ，１１ｂ，１３ａ，１３ｂ・・切り欠き、Ｍ１・・左カバー、Ｍ２・・第１中央カバー（中央カバー体）、Ｍ３・・第１後カバー（後カバー体）、Ｍ４・・第１前カバー（前カバー体）、Ｍ５・・第２中央カバー（中央カバー体）、Ｍ６・・第２後カバー（後カバー体）、Ｍ７・・第２前カバー（前カバー体）、Ｍ８・・右カバー。
【図１】
2004066380.tif 000003
【図２】
2004066380.tif 000004
【図３】
2004066380.tif 000005
【図４】
2004066380.tif 000006
【図５】
2004066380.tif 000007
【図６】
2004066380.tif 000008
【図７】
2004066380.tif 000009
【図８】
2004066380.tif 000010
【図９】
2004066380.tif 000011
【図１０】
2004066380.tif 000012
【図１１】
2004066380.tif 000013
【図１２】
2004066380.tif 000014